(57)【要約】【課題】識別情報の変動表示に伴って、その識別情報の停止表示時の態様を示唆する第１演出および第２演出を実行する場合に、遊技興趣をさらに高める。【解決手段】遊技領域に向けて発射された遊技球を所定の検知手段で検知すると、識別情報（特別図柄）を変動表示させ、その識別情報を遊技者の利益が異なる複数の当り態様（当り図柄）の何れか、あるいは外れ態様（外れ図柄）で停止表示させる。また、識別情報の変動表示に伴って、その識別情報の停止表示時の態様（停止図柄）を示唆する第１演出（先発レース演出）および第２演出（後発レース演出）を同時に進行させることを可能にする。【選択図】図１４
2019118696.tif 000002
【特許請求の範囲】
【請求項１】
遊技盤に形成された遊技領域に向けて遊技球を発射することによって遊技を行う遊技機において、
前記遊技球が所定の検知手段で検知されたことに基づいて識別情報を変動表示させ、該識別情報を遊技者の利益が異なる複数の当り態様の何れか、あるいは外れ態様で停止表示させる識別情報表示手段と、
前記識別情報の変動表示に伴って、当該識別情報の停止表示時の態様を示唆する第１演出および第２演出を同時に進行させることが可能な演出実行手段と
を備えることを特徴とする遊技機。
【発明の詳細な説明】
【技術分野】
【０００１】
本発明は、遊技盤に形成された遊技領域に向けて遊技球を発射することによって遊技を行う遊技機（パチンコ機）に関する。
【背景技術】
【０００２】
遊技盤に形成された遊技領域に向けて遊技球を発射することで遊技を行う遊技機では、所定の検知手段（例えば、始動口センサー）で遊技球が検知されたことに基づいて、識別情報（例えば、特別図柄）を変動表示させた後、その識別情報を当り態様または外れ態様で停止させるものが知られている。そして、識別情報が当り態様で停止表示されると、遊技者に利益（例えば、大当り遊技の実行や当り確率の向上）を付与するようになっている。また、遊技者の利益が異なる複数の当り態様を備えた遊技機も存在する。
【０００３】
こうした遊技機では、識別情報の変動表示に伴って、その識別情報の停止表示時の態様を示唆する演出（例えば、リーチ演出など）を実行可能となっている。また、１回の識別情報の変動表示に対して２つの演出を実行可能にすることが提案されており（例えば、特許文献１）、同時に進行する２つの演出のうち先に終了する第１演出で外れ態様を示唆した場合でも、後から終了する第２演出で当り態様を示唆することが可能である。
【先行技術文献】
【特許文献】
【０００４】
【特許文献１】特開２０１１−９７９６６号公報
【発明の概要】
【発明が解決しようとする課題】
【０００５】
しかし、特許文献１の遊技機において１回の識別情報の変動表示に対して２つの演出を実行する場合には、後の第２演出で当り態様を示唆する関係上、それに先立つ第１演出で必ず外れ態様を示唆するようになっており、遊技者にしてみれば第１演出に期待することはなく、折角２つの演出を実行しても遊技興趣を十分に高めることができないという問題があった。
【０００６】
本発明は、上述した課題を解決するためになされたものであり、識別情報の変動表示に伴って、その識別情報の停止表示時の態様を示唆する第１演出および第２演出を実行する場合に、遊技興趣をさらに高めることが可能な遊技機の提供を目的とする。
【課題を解決するための手段】
【０００７】
上述した課題の少なくとも一部を解決するために、本発明の遊技機は次の構成を採用した。すなわち、
遊技盤に形成された遊技領域に向けて遊技球を発射することによって遊技を行う遊技機において、
前記遊技球が所定の検知手段で検知されたことに基づいて識別情報を変動表示させ、該識別情報を遊技者の利益が異なる複数の当り態様の何れか、あるいは外れ態様で停止表示させる識別情報表示手段と、
前記識別情報の変動表示に伴って、当該識別情報の停止表示時の態様を示唆する第１演出および第２演出を同時に進行させることが可能な演出実行手段と
を備えることを特徴とする。
【発明の効果】
【０００８】
本発明によれば、識別情報の変動表示に伴って、その識別情報の停止表示時の態様を示唆する第１演出および第２演出を実行する場合に、遊技興趣をさらに高めることができる。
【図面の簡単な説明】
【０００９】
【図１】本実施例のパチンコ機１の正面図である。
【図２】本実施例の遊技盤２０の盤面構成を示す説明図である。
【図３】本実施例のパチンコ機１における制御回路の構成を示すブロック図である。
【図４】セグメント表示部５０を拡大して示した説明図である。
【図５】演出表示装置４１における表示の一態様を例示した説明図である。
【図６】演出表示装置４１で実行されるレース演出の一例を示した説明図である。
【図７】主制御基板２００のＣＰＵ２０１が、遊技の進行に係る制御として行う遊技制御処理の大まかな流れを示したフロ―チャートである。
【図８】本実施例の特別動作処理を示したフローチャートである。
【図９】本実施例の大当り判定テーブルを概念的に示した説明図である。
【図１０】変動パターン決定テーブルを概念的に例示した説明図である。
【図１１】サブ制御基板２２０のＣＰＵ２２１が行う図柄変動演出処理を示したフローチャートである。
【図１２】本実施例の演出内容決定処理を示したフローチャートである。
【図１３】演出表示装置４１で複合レース演出が行われる様子を例示した説明図である。
【図１４】複合レース演出を実行する際に、特別図柄の停止図柄に応じて決定されるレース順位の組み合わせを示した説明図である。
【図１５】図柄変動演出処理に従って複合レース演出が実行される様子を例示したタイムチャートである。
【図１６】複合レース演出で先発レース演出の後に後発レース演出を連続して行う様子を例示したタイムチャートである。
【発明を実施するための形態】
【００１０】
上述した本発明の内容を明確にするために、本発明を「セブン機」や「デジパチ」と呼ばれるタイプのパチンコ機（遊技機）に適用した実施例について説明する。尚、実施例において、「前」および「表」は「遊技機を基準とする前方」、つまり「遊技者に近接する方向（遊技者から見て手前側）」を示し、「後」および「裏」は「遊技機を基準とする後方」、つまり「遊技者から離間する方向（遊技者から見て奥側）」を示す。また、「上」とは遊技者から見て「上」であることを示し、「下」とは遊技者から見て「下」であることを示し、「左」とは遊技者から見て「左」であることを示し、「右」とは遊技者から見て「右」であることを示す。
【００１１】
Ａ．パチンコ機の装置構成  ：
Ａ−１．装置前面側の構成  ：
図１は、本実施例のパチンコ機１の正面図である。図１に示すように、パチンコ機１の前面部には、前面枠４が設けられている。前面枠４は、一端（図１における左側）が中枠３に対して回動可能に軸支されている。中枠３の前面側には遊技盤２０（図２参照）が着脱可能に取り付けられており、前面枠４が中枠３に対してパチンコ機１の前方側に回動（開放）されると、遊技盤２０が露出した状態となる。中枠３は、一端（図１における左側）が本体枠２に対して回動可能に軸支されている。本体枠２は、木製の板状部材を組み立てて構成された略長方形の枠体であり、パチンコ機１の外枠を形成している。
【００１２】
前面枠４の略中央部には窓部４ａが形成されており、この窓部４ａにはガラス板等の透明板４ｂが嵌め込まれている。遊技者は、窓部４ａ（透明板４ｂ）を通して奥側に配置される遊技盤２０の後述する遊技領域を視認可能である。また、前面枠４における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０の後述するセグメント表示部を視認可能である。
【００１３】
前面枠４における窓部４ａの上方には上部ランプ５ａが設けられ、窓部４ａの右側の周縁部には右サイドランプ５ｂが設けられ、窓部４ａの左側の周縁部には左サイドランプ５ｃが設けられている。また、窓部４ａの上方の左右には一対の上部スピーカー６ａが設けられており、本体枠２の下部の前面側には下部スピーカー６ｂが設けられている。これらの上部ランプ５ａ、右サイドランプ５ｂ、左サイドランプ５ｃ、上部スピーカー６ａ、および下部スピーカー６ｂは、遊技上の演出効果を高めるために駆動される。
【００１４】
前面枠４における窓部４ａの下方には、上皿部７が設けられている。上皿部７には、カードユニット２４２（図３参照）を介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００１５】
前面枠４における下皿部８の右方には、遊技者による回転操作が可能な発射ハンドル９が設けられている。発射ハンドル９の回転軸は、発射ハンドル９の奥側に搭載された発射装置ユニット２６１（図３参照）に接続されている。この発射装置ユニット２６１には、上皿部７に貯留された遊技球が供給される。遊技者が発射ハンドル９を回転させると、その回転が発射装置ユニット２６１に伝達され、発射装置ユニット２６１に内蔵された発射モーターが作動して、発射ハンドル９の回転角度に応じた強さで遊技球が発射される。
【００１６】
また、上皿部７の手前側の縁部には遊技者による押下操作が可能な演出ボタン１０ａが設けられており、下皿部８の左方には遊技者による押込操作や回転操作が可能なジョグシャトル１０ｂが設けられている。これらの演出ボタン１０ａやジョグシャトル１０ｂは、何れも遊技者によって操作される演出操作部であり、所定の条件成立時に遊技者によって操作されると、所定の遊技演出が行われる。
【００１７】
Ａ−２．遊技盤の構成  ：
図２は、遊技盤２０の盤面構成を示す説明図である。前述したように遊技盤２０は、中枠３の前面側に着脱可能に取り付けられている。図２に示すように、遊技盤２０の中央には略円形状の遊技領域２１が形成されている。発射装置ユニット２６１（図３参照）から発射された遊技球は、外レール２２と内レール２３との間を通って遊技領域２１に放出され、遊技領域２１の上方から下方に向かって流下する。遊技領域２１は、前面枠４の窓部４ａ（透明板４ｂ）を通して遊技者に視認されるので、当然ながら、遊技領域２１を流下する遊技球の様子も窓部４ａを通して遊技者が視認可能である。
【００１８】
遊技領域２１の略中央には中央装置４０が設けられており、中央装置４０のほぼ中央には、演出表示装置４１が設けられている。演出表示装置４１は液晶表示器によって構成されており、その表示画面上には、演出用の種々の画像を表示することが可能である。尚、演出表示装置４１の表示内容については別図を用いて後述する。
【００１９】
遊技領域２１における中央装置４０（演出表示装置４１）の右方には、普通図柄作動ゲート２７が設けられている。遊技球が普通図柄作動ゲート２７を通過すると、内蔵のゲートセンサー２７ｓ（図３参照）によって検知されて、下方へと流下していく。
【００２０】
遊技領域２１における中央装置４０（演出表示装置４１）の下方には、第１始動口２４が設けられている。第１始動口２４は、遊技球の入球可能性が不変（一定）であり、遊技球が常時入球可能になっている。第１始動口２４に入球した遊技球は、通路を通って遊技盤２０の裏面側に導かれて、第１始動口センサー２４ｓ（図３参照）によって検知される。
【００２１】
遊技領域２１における第１始動口２４の下方には、遊技球の入球可能性が変化する第２始動口２５が設けられている。本実施例の第２始動口２５は、下端側を軸に上端側を前方に傾けて回動可能な開閉扉２６を備えており、開閉扉２６が略直立して遊技球が入球不能（または入球困難）な閉鎖状態と、開閉扉２６が前方に回動して遊技球が入球可能（または入球容易）な開放状態とに変化可能である。図２では、第２始動口２５が開放状態となっている様子が示されている。第２始動口２５に入球した遊技球は、通路を通って遊技盤２０の裏面側に導かれて、第２始動口センサー２５ｓ（図３参照）によって検知される。
【００２２】
遊技領域２１における第１始動口２４の右方には、前方に向けて略長方形状に大きく開口した大入賞口２８が設けられている。大入賞口２８は、下端側を軸に上端側を前方に傾けて回動可能な開閉扉２９を備えており、開閉扉２９が略直立して遊技球が入球不能な閉鎖状態と、開閉扉２９が前方に回動して遊技球が入球可能な開放状態とに変化可能である。図２では、大入賞口２８が開放状態となっている様子が示されている。大入賞口２８に入球した遊技球は、通路を通って遊技盤２０の裏面側に導かれて、大入賞口センサー２８ｓ（図３参照）によって検知される。
【００２３】
また、上述した各遊技装置の周辺には、遊技球が入球可能なその他入賞口３０や、遊技球が流下する経路に影響を与える風車型ホイール３１や多数の遊技釘３２などが設けられている。その他入賞口３０に入球した遊技球は、通路を通って遊技盤２０の裏面側に導かれて、その他入賞口センサー３０ｓ（図３参照）によって検知される。さらに、遊技領域２１の最下部であって第２始動口２５の下方には、アウト口３３が設けられており、上述した第１始動口２４、第２始動口２５、大入賞口２８、その他入賞口３０の何れにも入球しなかった遊技球は、アウト口３３から遊技盤２０の裏側に排出される。
【００２４】
本実施例のパチンコ機１において、複数の遊技釘３２の配置などにより、上述した第１始動口２４には、中央装置４０（演出表示装置４１）の左方の領域を流下する遊技球が入球可能である。これに対して、普通図柄作動ゲート２７、第２始動口２５、大入賞口２８には、中央装置４０（演出表示装置４１）の右方の領域を流下する遊技球が通過または入球可能である。以下では、中央装置４０の左方の領域を流下させるように遊技球を発射することを「左打ち」とも表現し、中央装置４０の右方の領域を流下させるように遊技球を発射することを「右打ち」とも表現する。尚、本実施例のパチンコ機１では、第１始動口２４、第２始動口２５、その他入賞口３０の何れかに遊技球が入球した場合は、賞球として３個の遊技球が払い出され、大入賞口２８に遊技球が入球した場合は、１３個の遊技球が払い出される。
【００２５】
また、遊技盤２０における遊技領域２１の右下方には、複数のＬＥＤの組み合わせによって遊技に係る情報を表示するセグメント表示部５０が設けられている。セグメント表示部５０は、前面枠４に設けられた小窓部４ｃ（図１参照）を通して遊技者が視認可能である。尚、セグメント表示部５０の表示内容については別図を用いて後述する。
【００２６】
Ａ−３．制御回路の構成  ：
次に、本実施例のパチンコ機１における制御回路の構成について説明する。図３は、本実施例のパチンコ機１における制御回路の構成を示したブロック図である。図示されているようにパチンコ機１の制御回路は、多くの制御基板や、各種基板などから構成されている。機能に着目して大別すると、遊技の基本的な進行に係る制御を司る主制御基板２００と、遊技の演出に係る制御を司るサブ制御基板２２０と、サブ制御基板２２０の制御下で画像の表示や音声の出力に係る制御を司る画像音声制御基板２３０と、サブ制御基板２２０の制御下でランプの発光に係る制御を司るランプ制御基板２２６と、遊技球の貸し出しや払い出しに係る制御を司る払出制御基板２４０と、遊技球の発射に係る制御を司る発射制御基板２６０などから構成されている。これら制御基板は、各種論理演算および算出演算を実行するＣＰＵ（図３におけるＣＰＵ２０１、２２１、２３１等）や、ＣＰＵで実行される各種プログラムやデータが記憶されているＲＯＭ（図３におけるＲＯＭ２０２、２２２、２３２等）、プログラムの実行に際してＣＰＵが一時的なデータを記憶するＲＡＭ（図３における２０３、２２３、２３３等）、入出力用回路など、種々の周辺ＬＳＩがバスで相互に接続されて構成されている。
【００２７】
主制御基板２００には、第１始動口２４へ入球した遊技球を検知する第１始動口センサー２４ｓや、第２始動口２５へ入球した遊技球を検知する第２始動口センサー２５ｓ、大入賞口２８へ入球した遊技球を検知する大入賞口センサー２８ｓ、普通図柄作動ゲート２７を通過する遊技球を検知するゲートセンサー２７ｓ、その他入賞口３０へ入球した遊技球を検知するその他入賞口センサー３０ｓなどが接続されている。主制御基板２００のＣＰＵ２０１は、第１始動口センサー２４ｓや、第２始動口センサー２５ｓ、大入賞口センサー２８ｓ、ゲートセンサー２７ｓ、その他入賞口センサー３０ｓなどから遊技球の検知信号の入力があると、その検知信号の入力のあったセンサーに対応したコマンドを、サブ制御基板２２０や、払出制御基板２４０などに向けて送信する。尚、本実施例の第１始動口センサー２４ｓおよび第２始動口センサー２５ｓは、本発明の「検知手段」に相当している。
【００２８】
また、主制御基板２００には、第２始動口２５の開放状態と閉鎖状態とを切り換え可能な開閉扉２６を駆動する始動口ソレノイド２６ｍや、大入賞口２８の開放状態と閉鎖状態とを切り換え可能な開閉扉２９を駆動する大入賞口ソレノイド２９ｍ、セグメント表示部５０などが接続されている。主制御基板２００のＣＰＵ２０１は、始動口ソレノイド２６ｍ、大入賞口ソレノイド２９ｍ、セグメント表示部５０に向けて駆動信号を送信することにより、これらの動作の制御を行う。
【００２９】
サブ制御基板２２０には、画像音声制御基板２３０や、ランプ制御基板２２６、演出操作基板２２８が接続されている。サブ制御基板２２０のＣＰＵ２２１は、主制御基板２００からの各種コマンドを受信すると、コマンドの内容を解析して、その内容に応じた遊技演出を行う。すなわち、画像音声制御基板２３０に対して、表示画像や出力音声を指定するコマンドを送信したり、ランプ制御基板２２６に対して、上部ランプ５ａ、右サイドランプ５ｂ、左サイドランプ５ｃ（以下「各種ランプ５ａ〜５ｃ」ともいう）の発光パターンを指定するコマンドを送信したりすることによって、遊技演出を行う。また、サブ制御基板２２０のＣＰＵ２２１は、演出操作基板２２８を介して、演出ボタン１０ａやジョグシャトル１０ｂ（以下「演出操作部１０ａ，１０ｂ」）に対する遊技者の操作を検知すると、その操作に対応する遊技演出を行う。
【００３０】
画像音声制御基板２３０は、ＣＰＵ２３１、ＲＯＭ２３２、ＲＡＭ２３３に加えて、ＶＤＰ２３４、画像ＲＯＭ２３５、音声ＲＯＭ２３６を備えている。画像音声制御基板２３０のＣＰＵ２３１は、サブ制御基板２２０からコマンドを受信すると、そのコマンドに対応した画像の表示をＶＤＰ２３４に指示する。ＶＤＰ２３４は、指示された画像の表示に利用する画像データ（例えば、スプライトデータや動画データなど）を画像ＲＯＭ２３５から読み出して画像を生成し、演出表示装置４１の表示画面に出力する。また、画像音声制御基板２３０のＣＰＵ２３１は、サブ制御基板２２０からコマンドを受信すると、そのコマンドに対応した音声データを音声ＲＯＭ２３６から読み出して、その音声データの信号をアンプ基板２２４に送信することにより、上部スピーカー６ａおよび下部スピーカー６ｂ（以下「各種スピーカー６ａ，６ｂ」ともいう）から音声を出力する。
【００３１】
払出制御基板２４０には、上皿部７に設けられた球貸ボタン２４１（図１では図示省略）や、パチンコ機１に並設されたカードユニット２４２、払出モーター２４３などが接続されている。球貸ボタン２４１が操作されると、その信号は、払出制御基板２４０を介してカードユニット２４２に伝達される。カードユニット２４２は、払出制御基板２４０とデータを通信しながら、払出モーター２４３を駆動して遊技球の貸し出しを行う。また、払出制御基板２４０は、主制御基板２００から遊技球の払い出しを指示する払出コマンドを受信すると、払出モーター２４３を駆動して遊技球の払い出しを行う。
【００３２】
また、払出制御基板２４０には発射制御基板２６０が接続されており、発射制御基板２６０には発射装置ユニット２６１が接続されている。発射装置ユニット２６１は、遊技球を発射させるための発射モーター２６２や、遊技者が発射ハンドル９に触れていることを検知するタッチスイッチ２６３などを有している。遊技者が発射ハンドル９に触れていることをタッチスイッチ２６３で検知すると、発射モーター２６２の作動が可能となり、発射ハンドル９の回転角度に応じた強さで遊技球を発射する。
【００３３】
Ｂ．遊技の概要  ：
本実施例のパチンコ機１では、次のようにして遊技が進行する。上皿部７に遊技球が貯留された状態で遊技者が発射ハンドル９を回転させると、上皿部７に貯留された遊技球が１球ずつ発射装置ユニット２６１に供給されて、図２を用いて前述した遊技領域２１に向けて発射される。遊技球を打ち出す強さは発射ハンドル９の回転角度に対応するので、遊技者は発射ハンドル９の回転角度を変化させることによって、遊技者の所望する領域に遊技球を流下させることができる。例えば、中央装置４０（演出表示装置４１）の左方の領域を流下するように遊技球を発射したり（左打ちを行ったり）、中央装置４０の右方の領域を流下するように遊技球を発射したり（右打ちを行ったり）することができる。
【００３４】
図２を用いて前述したように、第１始動口２４には左打ちされた遊技球が入球可能である。遊技球が第１始動口２４に入球して、第１始動口センサー２４ｓによって検知されると、所定の判定乱数（大当り判定乱数など）を取得し、その判定乱数の値に基づいて大当りか外れかを判定する大当り判定を行った後、セグメント表示部５０にて第１の特別図柄（以下「第１特図」ともいう）の変動表示を行う。また、第２始動口２５には右打ちされた遊技球が入球可能である。遊技球が第２始動口２５に入球して、第２始動口センサー２５ｓによって検知されると、判定乱数を取得して大当り判定を行った後、セグメント表示部５０にて第２の特別図柄（以下「第２特図」ともいう）の変動表示を行う。尚、以下では、第１特図と第２特図とを特に区別する必要がない場合には、単に「特別図柄」と称することがある。
【００３５】
図４は、セグメント表示部５０を拡大して示した説明図である。前述したようにセグメント表示部５０は、前面枠４に設けられた小窓部４ｃ（図１参照）を通して遊技者が視認可能である。図示されるようにセグメント表示部５０には、第１特図を表示する第１特図表示部５１と、第２特図を表示する第２特図表示部５２とが設けられており、それぞれ９個のＬＥＤで構成されている。第１特図および第２特図は、対応する表示部５１，５２で９個のＬＥＤを点滅させる（点灯させるＬＥＤを切り換える）ことによって変動表示され、所定の組み合わせのＬＥＤを点灯させた状態で停止表示される。このとき、大当り判定の結果が大当りであれば、大当り図柄に対応する組み合わせのＬＥＤを点灯させ、外れであれば、外れ図柄に対応する組み合わせのＬＥＤを点灯させる。尚、本実施例の第１特図および第２特図は、本発明の「識別情報」に相当しており、本実施例の第１特図表示部５１および第２特図表示部５２は、本発明の「識別情報表示手段」に相当している。また、本実施例の大当り図柄は、本発明の「当り態様」に相当し、本実施例の外れ図柄は、本発明の「外れ態様」に相当している。
【００３６】
尚、第１始動口２４または第２始動口２５に遊技球が入球しても、第１特図や第２特図の変動表示中などで大当り判定が直ぐに行われない場合には、第１始動口２４への入球で取得した判定乱数の値を第１特図保留として記憶し、第２始動口２５への入球で取得した判定乱数の値を第２特図保留として記憶する。その後、大当り判定が可能になると、第１特図保留または第２特図保留に基づいて大当り判定を行い、対応する特別図柄（第１特図または第２特図）の変動表示を行う。本実施例のパチンコ機１では、このような第１特図保留および第２特図保留を、それぞれ最大４つまで記憶可能である。
【００３７】
図４に示されるようにセグメント表示部５０には、第１特図保留の記憶数（第１特図保留数）を表示する第１特図保留表示部５３と、第２特図保留の記憶数（第２特図保留数）を表示する第２特図保留表示部５４とが設けられており、それぞれ２個のＬＥＤで構成されている。これらの保留表示部５３，５４では、保留数が０個であればＬＥＤが２個とも消灯し、保留数が１個であれば１個のＬＥＤが点灯し、保留数が２個であれば２個のＬＥＤが点灯し、保留数が３個であれば１個のＬＥＤが点滅し、保留数が４個であれば、２個のＬＥＤが点滅する。
【００３８】
第１特図または第２特図が大当り図柄で停止表示されると、大入賞口２８が開放状態となる大当り遊技を実行する。大当り遊技では、開放した大入賞口２８を、規定個数（例えば９個）の遊技球が入球するか、あるいは所定の開放時間（例えば３０秒）が経過したら閉鎖するラウンド遊技が複数回（例えば１５回）繰り返される。前述したように大入賞口２８に遊技球が入球すると、賞球として１３個の遊技球が払い出されることから、大当り遊技によって遊技者は多量の賞球を獲得することが可能である。
【００３９】
図４に示されるようにセグメント表示部５０には、２個のＬＥＤで構成された右打ち表示部５９が設けられている。前述したように大入賞口２８には、右打ちされた遊技球が入球可能であり、大当り遊技中は、遊技者にとって右打ちが有利であることから、右打ち表示部５９で２個のＬＥＤを点灯することで遊技者に右打ちを促す。
【００４０】
また、前述したように、中央装置４０（演出表示装置４１）の右方には、普通図柄作動ゲート２７が設けられており、右打ちされた遊技球が普通図柄作動ゲート２７を通過可能である。普通図柄作動ゲート２７を通過する遊技球がゲートセンサー２７ｓによって検知されると、所定の判定乱数（普図当り判定乱数など）を取得し、その判定乱数の値に基づいて普図当りか外れかを判定する普図当り判定を行った後、セグメント表示部５０にて普通図柄の変動表示を行う。
【００４１】
図４に示されるようにセグメント表示部５０には、左右２個のＬＥＤで構成された普図表示部５６が設けられている。普通図柄は、普図表示部５６で２個のＬＥＤを点滅させる（点灯させるＬＥＤを切り換える）ことによって変動表示され、一方のＬＥＤを点灯させた状態で停止表示される。このとき、普図当り判定の結果が普図当りであれば、普図当り図柄に対応する左側のＬＥＤを点灯させ、外れであれば、外れ図柄に対応する右側のＬＥＤを点灯させる。そして、普通図柄が普図当り図柄で停止表示された場合は、第２始動口２５が開放状態となった後に閉鎖状態となる普図当り遊技が行われるので、第２始動口２５に遊技球が入球する可能性（すなわち、第２特図の変動表示が行われる可能性）が高まる。
【００４２】
尚、遊技球が普通図柄作動ゲート２７を通過しても、普通図柄の変動表示中などで普図当り判定が直ぐに行われない場合には、取得した判定乱数の値を普図保留として最大４つまで記憶することが可能である。その後、普図当り判定が可能になると、普図保留に基づいて普図当り判定や、普通図柄の変動表示を行う。セグメント表示部５０には、２個のＬＥＤで構成された普図保留表示部５７が設けられており、普図保留の記憶数（普図保留数）は普図保留表示部５７に表示される。
【００４３】
普図当り遊技における第２始動口２５の開放時間は、「電サポ状態」であるか「非電サポ状態」であるかで異なる。電サポ状態では、非電サポ状態よりも第２始動口２５の開放時間が長く設定される。また、電サポ状態では、非電サポ状態よりも普図当り判定の結果が普図当りとなる確率（普図当り確率）が高く、且つ、普通図柄の変動時間が短く設定される。従って、電サポ状態では、非電サポ状態に比べて第２始動口２５に遊技球が入球する可能性（すなわち、第２特図の変動表示が行われる可能性）が高まる。
【００４４】
本実施例のパチンコ機１では、複数の大当り図柄が設けられて「通常当り図柄」と「確変当り図柄」とに大別されており、特別図柄（第１特図または第２特図）が何れの大当り図柄で停止表示された場合でも、大当り遊技の終了後に電サポ状態が設定される。そして、通常当り図柄である場合は、大当り遊技の終了後に、大当り判定の結果が大当りとなる確率（大当り確率）が所定の通常確率（低確率）に設定され、特別図柄の変動回数が所定回数（例えば１００回）に達すると非電サポ状態に設定される。一方、確変当り図柄である場合は、大当り遊技の終了後に大当り確率が通常確率よりも高い高確率に設定され、電サポ状態と共に次回の大当り遊技まで継続される。以下では、大当り確率が高確率に設定された状態を「確変状態」と称することがある。また、電サポ状態では、非電サポ状態よりも特別図柄（第１特図および第２特図）の変動時間が短く設定されることから、電サポ状態であって、且つ大当り確率が通常確率に設定された状態を「時短状態」と称することがある。
【００４５】
図４に示されるようにセグメント表示部５０には、３個のＬＥＤで構成された電サポ表示部５８が設けられており、電サポ表示部５８で３個のＬＥＤを点灯することで電サポ状態中であることを表す。また、前述したように電サポ状態では、非電サポ状態よりも第２始動口２５への遊技球の入球可能性が高まり、電サポ状態中は、遊技者にとって右打ちが有利であることから、大当り遊技中と同様に、右打ち表示部５９の２個のＬＥＤを点灯することで遊技者に右打ちを促す。
【００４６】
また、前述した特別図柄（第１特図および第２特図）の変動表示と連動して、演出表示装置４１では、演出用の種々の画像が表示される。図５は、演出表示装置４１における表示の一態様を例示した説明図である。演出表示装置４１の表示画面上には、演出図柄として３つの識別図柄４１ａ，４１ｂ，４１ｃや、その背景となる背景画像４１ｄなどを表示可能である。セグメント表示部５０の第１特図表示部５１あるいは第２特図表示部５２で特別図柄の変動表示が開始されると、演出表示装置４１においても、識別図柄４１ａ，４１ｂ，４１ｃが複数の数字（例えば「１」〜「９」の９つの数字）を次々と切り換えて変動表示する演出（以下「図柄変動演出」ともいう）が行われる。尚、識別図柄は、数字以外にも、文字、図形、記号等を意匠化した図柄であってもよく、遊技者が種類を識別できる形態であればよい。
【００４７】
図５（ａ）には、３つの識別図柄４１ａ，４１ｂ，４１ｃが一斉に変動表示している様子が概念的に示されている。変動表示が開始された後、所定時間が経過すると、初めに左識別図柄４１ａが「１」〜「９」の何れかで停止表示され、次に右識別図柄４１ｃが停止表示され、最後に中識別図柄４１ｂが停止表示される。そして、３つの識別図柄４１ａ，４１ｂ，４１ｃは、特別図柄（第１特図または第２特図）が外れ図柄で停止表示される場合は、同じ数字で揃わない組み合わせ（バラケ目）で停止表示されるのに対して、特別図柄が大当り図柄で停止表示される場合は、同じ数字で揃った組み合わせ（ゾロ目）で停止表示される。特に、特別図柄が遊技者にとって通常当り図柄よりも有利な確変当り図柄で停止表示される場合は、識別図柄４１ａ，４１ｂ，４１ｃが同じ奇数の数字で停止表示される。
【００４８】
こうして演出表示装置４１における識別図柄４１ａ，４１ｂ，４１ｃの表示内容を、特別図柄の表示内容と対応させることにより、図５（ｂ）に示されるように３つの識別図柄のうち２つが停止表示されたときに同じ数字であると、最後に停止表示される識別図柄も同じ数字で揃うのではないかと、遊技者は識別図柄の変動表示（図柄変動演出）を注視することになる。このように、２つの識別図柄が同じ図柄で停止表示された状態で最後の識別図柄を変動表示させながら行われる演出は「リーチ演出」と呼ばれており、このリーチ演出を発生させることで遊技興趣を高めることが可能である。
【００４９】
また、演出表示装置４１の表示画面の下部には、第１特図保留数を示すための第１保留表示領域４１ｅと、第２特図保留数を示すための第２保留表示領域４１ｆとが設定されている。本実施例のパチンコ機１では、第１特図保留数と同数の「保留図柄（図中の小円形の図柄）」を第１保留表示領域４１ｅに表示し、第２特図保留数と同数の保留図柄を第２保留表示領域４１ｆに表示する。図５の例では、第１特図保留数および第２特図保留数が共に４個であることを示している。尚、当然ながら、演出表示装置４１に示される保留数は、セグメント表示部５０の第１特図保留表示部５３および第２特図保留表示部５４に示される保留数と一致する。
【００５０】
さらに、本実施例の演出表示装置４１では、競馬をモチーフとしたレース演出を実行することが可能となっている。図６は、演出表示装置４１で実行されるレース演出の一例を示した説明図である。本実施例のレース演出は、演出表示装置４１に表示される複数の競走馬４２がゴール４３への到達を競い合うものであり、複数の競走馬４２のうち遊技者と対応付けられた競走馬（以下、特定競走馬）４２ａに「ＰＬＡＹＥＲ」の表示が付されている。
【００５１】
そして、レース演出では、特定競走馬４２ａの順位によって、特別図柄（第１特図または第２特図）で停止表示される図柄（停止図柄）を示唆するようになっており、特定競走馬４２ａが１着になると、特別図柄が「確変当り図柄」で停止表示され、２着になると、特別図柄が「通常当り図柄」で停止表示される。すなわち、特定競走馬４２ａの順位が２着以内であれば、特別図柄が大当り図柄で停止表示されることを示唆するのに対して、２着以内に入らなければ、外れ図柄で停止表示されることを示唆する。このようなレース演出を実行することで、遊技者にレースの結果（特定競走馬４２ａの順位）を期待させて、遊技興趣を高めることが可能である。尚、本実施例のレース演出の実行中は、演出表示装置４１にて識別図柄４１ａ，４１ｂ，４１ｃの変動表示が継続されるものの、表示領域が縮小されており、図示した例では演出表示装置４１の上部左隅に表示されている。
【００５２】
Ｃ．本実施例のパチンコ機の制御内容  ：
Ｃ−１．遊技制御処理  ：
図７は、主制御基板２００のＣＰＵ２０１が、遊技の進行に係る制御として行う遊技制御処理の大まかな流れを示したフロ―チャートである。主制御基板２００のＣＰＵ２０１は、所定周期で（例えば、４ｍｓｅｃ毎に）発生するタイマ割り込みに基づいて図７の遊技制御処理を実行する。尚、以下の説明では、ＣＰＵ２０１の初期化処理や、割り込み禁止処理、割り込み許可処理などの周知の処理については説明を省略する。
【００５３】
主制御基板２００のＣＰＵ２０１は、遊技制御処理を開始すると、まず、出力処理（Ｓ１０）を行う。本実施例の主制御基板２００では、後述する各処理において、サブ制御基板２２０を初めとする各種制御基板に向けて送信する各種コマンドを、ＲＡＭ２０３に確保された出力バッファに一旦記憶するようになっており、出力処理（Ｓ１０）では、出力バッファに記憶されている各種コマンドを各種制御基板に向けて送信する。こうすることにより、例えば、サブ制御基板２２０では、遊技の進行に合わせた演出の制御が行われ、払出制御基板２４０では、遊技球の払い出しが行われることになる。
【００５４】
主制御基板２００のＣＰＵ２０１は、出力処理（Ｓ１０）に続いて、入力処理（Ｓ２０）を行う。前述したように、第１始動口２４、第２始動口２５、大入賞口２８、その他入賞口３０の何れかに遊技球が入球すると、賞球として遊技球を払い出すようになっている。そこで、入力処理（Ｓ２０）では、入球を検知する各種センサー（第１始動口センサー２４ｓ、第２始動口センサー２５ｓ、大入賞口センサー２８ｓ、その他入賞口センサー３０ｓなど）について、遊技球を検知したか否かを判断する。そして、遊技球を検知した場合は、遊技球の払い出しを指示する払出コマンドを、上述した出力バッファに記憶する。尚、こうして出力バッファに記憶された払出コマンドは、次回の出力処理（Ｓ１０）で払出制御基板２４０に向けて送信される。
【００５５】
入力処理（Ｓ２０）を終了すると、次に、乱数更新処理（Ｓ３０）を行う。前述したように、普図当り判定や特別図柄の大当り判定は、所定の判定乱数の値に基づいて行われる。また、これ以外にも、後述する各種の決定が専用の乱数の値に基づいて行われる。乱数更新処理（Ｓ３０）では、これらの乱数の更新を行う。尚、乱数の更新は、遊技制御処理の中の乱数更新処理（Ｓ３０）においてだけでなく、遊技制御処理を一旦終了してから次回の遊技制御処理を開始する（タイマ割り込みが発生する）までの間に行うこととしてもよい。また、乱数更新のための専用回路を設けて、この専用回路で乱数を更新してもよい。
【００５６】
乱数更新処理（Ｓ３０）を終了したら、ゲートセンサー検知処理（Ｓ４０）を行う。ゲートセンサー検知処理（Ｓ４０）では、ゲートセンサー２７ｓで遊技球を検知すると、普図保留数が上限値（本実施例では「４」）に達しているか否かを判断して、達していなければ、普図当り判定乱数などを取得し、取得した乱数値を普図保留としてＲＡＭ２０３に記憶する。
【００５７】
ゲートセンサー検知処理（Ｓ４０）に続いて、始動口センサー検知処理（Ｓ５０）を行う。始動口センサー検知処理（Ｓ５０）では、第１始動口センサー２４ｓで遊技球を検知すると、第１特図保留数が上限値（本実施例では「４」）に達しているか否かを判断して、達していなければ、所定の判定乱数を取得し、取得した乱数値を第１特図保留としてＲＡＭ２０３に記憶する。また、第２始動口センサー２５ｓで遊技球を検知すると、第２特図保留数が上限値（本実施例では「４」）に達しているか否かを判断して、達していなければ、所定の判定乱数を取得し、取得した乱数値を第２特図保留としてＲＡＭ２０３に記憶する。ここで、判定乱数としては、大当り判定を行うための大当り判定乱数や、大当りの場合に特別図柄で停止表示する大当り図柄の種類を決定するための図柄決定乱数や、特別図柄の変動表示の開始から停止表示までの変動パターンを決定するための変動パターン決定乱数などを取得する。
【００５８】
始動口センサー検知処理（Ｓ５０）を終了すると、次に、普通動作処理（Ｓ６０）を行う。普通動作処理（Ｓ６０）では、主に次のような処理を行う。まず、普通図柄の変動表示中または普図当り遊技の実行中であるか否かを判断する。普通図柄の変動中および普図当り遊技の実行中の何れでもない場合は、普通図柄の停止表示から所定の確定時間が経過していることを確認した後、普図保留が記憶されているか否かを判断する。普図保留が記憶されていれば、最先に記憶された普図保留を読み出し、その読み出した普図保留（普図当り判定乱数の値）に基づいて普図当り判定を行う。尚、前述したように電サポ状態では、非電サポ状態よりも普図当り確率が高く設定され、例えば、非電サポ状態では普図当り確率が１００分の１に設定されるのに対して、電サポ状態では普図当り確率が１００分の９９に設定される。
【００５９】
そして、普図当り判定の結果に基づき、普通図柄を普図当り図柄で停止表示するか、外れ図柄で停止表示するかを決定する。さらに普通図柄の変動時間を設定して、普通図柄の変動表示を開始したら、普図保留数から「１」を減算する。前述したように電サポ状態では、非電サポ状態よりも普通図柄の変動時間が短く設定され、例えば、非電サポ状態では変動時間が２０秒に設定されるのに対して、電サポ状態では変動時間が１秒に設定される。
【００６０】
普通図柄の変動表示中である場合は、変動時間が経過したか否かを判断して、変動時間が経過すると、決定しておいた普図当り図柄または外れ図柄で普通図柄を停止表示する。そして、確定時間の経過を待って、停止表示された普通図柄が外れ図柄である場合は、再び普通図柄の変動表示を開始する処理を行う。一方、停止表示された普通図柄が普図当り図柄である場合は、普図当り遊技を開始する。
【００６１】
普図当り遊技中は、始動口ソレノイド２６ｍを駆動して第２始動口２５を開放状態とした後、開放時間が経過したら閉鎖状態に戻す処理を行う。前述したように電サポ状態では、非電サポ状態よりも第２始動口２５の開放時間が長く設定され、例えば、非電サポ状態では０．３秒（０．１秒×３回開放）に設定されるのに対して、電サポ状態では４．５秒（１．５秒×３回開放）に設定される。こうして普通動作処理（Ｓ６０）を終了したら、続いて、特別動作処理（Ｓ７０）を行う。
【００６２】
図８は、本実施例の特別動作処理を示したフローチャートである。主制御基板２００のＣＰＵ２０１は、特別動作処理（Ｓ７０）を開始すると、まず第１特図または第２特図が変動表示中であるか否かを判断する（Ｓ７１）。第１特図および第２特図の何れも変動表示中ではない場合は（Ｓ７１：ｎｏ）、続いて、第１特図または第２特図が確定表示中であるか否かを判断する（Ｓ７２）。特別図柄（第１特図または第２特図）を停止表示したら、停止表示された図柄（大当り図柄または外れ図柄）を確定させるために、停止表示された状態を所定時間が経過するまで維持することで確定表示を行うようになっている。
【００６３】
第１特図および第２特図の何れも確定表示中ではない場合は（Ｓ７２：ｎｏ）、大当りフラグがＯＮに設定されているか否かを判断する（Ｓ７３）。大当りフラグとは、大当り遊技中であることを示すフラグであり、主制御基板２００のＲＡＭ２０３に大当りフラグの記憶領域が確保されている。大当りフラグがＯＮに設定されていない場合、すなわち、大当り遊技中ではない場合は（Ｓ７３：ｎｏ）、次に、第１特図保留数および第２特図保留数が「０」であるか否かを判断する（Ｓ７４）。第１特図保留数および第２特図保留数の何れも「０」である場合は（Ｓ７４：ｙｅｓ）、特別図柄の変動表示を開始することなく、図８の特別動作処理を終了して、図７の遊技制御処理に復帰する。
【００６４】
一方、第１特図保留数または第２特図保留数が「０」ではない場合は（Ｓ７４：ｎｏ）、特図保留として記憶されている前述した各種の判定乱数（大当り判定乱数、図柄決定乱数、変動パターン決定乱数）の値を読み出す（Ｓ７５）。本実施例のパチンコ機１では、まず第２特図保留が記憶されていれば、最先に記憶された第２特図保留を読み出し、第２特図保留が記憶されていなければ、最先に記憶された第１特図保留を読み出すようになっている。従って、第１特図保留および第２特図保留の両方が記憶されている場合は、第２特図保留を第１特図保留に優先して読み出す（第２特図保留を優先消化する）ことになり、第１特図保留を読み出すのは、第２特図保留が記憶されていないときに限られる。
【００６５】
こうして第２特図保留または第１特図保留を読み出したら、大当り判定処理（Ｓ７６）を行う。大当り判定処理（Ｓ７６）では、第２特図保留または第１特図保留として読み出した大当り判定乱数の値を用いて、大当り判定テーブルを参照しながら大当り判定を行う。大当り判定テーブルは、大当り判定乱数の値に「大当り」または「外れ」の大当り判定結果が対応付けられたテーブルであり、主制御基板２００のＲＯＭ２０２に予め記憶されている。また、前述したように確変状態中は、大当り確率が通常確率よりも高い高確率に設定され、非確変状態に比べて大当りが発生し易いことから、大当り判定テーブルには、確変状態用と非確変状態用とが設けられている。
【００６６】
図９は、本実施例の大当り判定テーブルを概念的に示した説明図である。図９（ａ）には非確変状態用の大当り判定テーブルが示されており、図９（ｂ）には確変状態用の大当り判定テーブルが示されている。図９（ａ）に示されるように非確変状態用の大当り判定テーブルでは、０〜６５５３５の乱数値のうち０〜２１７の乱数値に「大当り」が設定されており、残りの乱数値に「外れ」が設定されている。一方、図９（ｂ）に示されるように確変状態用の大当り判定テーブルでは、０〜６５５３５の乱数値のうち０〜６５５の乱数値に「大当り」が設定されており、残りの乱数値に「外れ」が設定されている。
【００６７】
大当り判定では、確変状態中であるか否かに応じて選択した大当り判定テーブルを参照して、第２特図保留または第１特図保留として読み出した大当り判定乱数の値が「大当り」に対応する値（大当り値）なのか、「外れ」に対応する値（外れ値）なのかを判定する。これにより、図９に示した例では、非確変状態であれば約３００分の１の確率で「大当り」の判定結果が得られ、確変状態であれば約１００分の１の確率で「大当り」の判定結果が得られる。
【００６８】
こうして大当り判定の結果が大当りであれば、停止表示する大当り図柄を決定する。前述したように大当り図柄は、複数設けられており、通常当り図柄と確変当り図柄とに大別される。大当り図柄の決定は、第２特図保留または第１特図保留として読み出した図柄決定乱数の値を用いて、大当り図柄決定テーブル（図示せず）を参照しながら行う。大当り図柄決定テーブルは、図柄決定乱数の値と複数の大当り図柄とが対応付けられたテーブルであり、主制御基板２００のＲＯＭ２０２に予め記憶されている。そして、読み出した図柄決定乱数の値に対応付けられた大当り図柄を、停止表示する図柄（停止図柄）として決定し、ＲＡＭ２０３に記憶する。これに対して、大当り判定の結果が外れであれば、外れ図柄を停止図柄としてＲＡＭ２０３に記憶する。
【００６９】
以上のような大当り判定処理（Ｓ７６）に続いて、変動パターン決定処理（Ｓ７７）を行う。ここで、変動パターンとは、特別図柄（第１特図または第２特図）が変動表示を開始してから停止表示するまでの時間（変動時間）を識別するためのものであり、複数設けられた変動パターンは、互いに設定されている変動時間が異なっている。変動パターン決定処理（Ｓ７７）では、第２特図保留または第１特図保留として読み出した変動パターン決定乱数の値を用いて、変動パターン決定テーブルを参照しながら、変動表示を開始する特別図柄の変動パターンを決定する。尚、変動パターン決定テーブルは、主制御基板２００のＲＯＭ２０２に予め記憶されている。
【００７０】
図１０は、変動パターン決定テーブルを概念的に例示した説明図である。図示されるように変動パターン決定テーブルには、変動パターン決定乱数の値と、複数の変動パターンの各々に付された変動パターンＩＤとが対応付けられており、複数の変動パターンに設定されている変動時間は互いに異なっている。このような変動パターン決定テーブルは、遊技状態に応じて、確変状態用のテーブルと、時短状態用のテーブルと、確変状態および時短状態の何れでもない通常状態用のテーブルとに大別される。前述したように確変状態および時短状態では電サポ状態が設定されているのに対して、通常状態では電サポ状態が設定されていない。また、電サポ状態では、非電サポ状態よりも特別図柄（第１特図および第２特図）の変動時間が短く設定される。そのため、確変状態用や時短状態用の変動パターン決定テーブルには、通常状態用の変動パターン決定テーブルに比べて変動時間が短めの変動パターンが設定されている。
【００７１】
また、遊技状態に応じて大別された変動パターン決定テーブルは、大当り判定の結果に応じて、それぞれ大当り用テーブルと外れ用テーブルとに細分化されている。大当り判定の結果が大当りの場合は、前述したリーチ演出などが行われることが多く、その実行時間の確保を容易とするために、大当り用テーブルには、外れ用テーブルに比べて変動時間が長めの変動パターンが設定されている。また、各種の変動パターン決定テーブルの細分化は、これに限られず、例えば、特別図柄の種類（第１特図か第２特図か）に応じて細分化されていてもよい。さらに、記憶されている特図保留数に応じて細分化されていてもよく、特図保留数が多いほど、保留の消化を早めるために、変動時間が短めの変動パターンが設定された変動パターン決定テーブルとしてもよい。
【００７２】
変動パターン決定処理（Ｓ７７）では、現在の遊技状態や、大当り判定の結果や、特別図柄の種類や、記憶されている特図保留数などに応じて選択した変動パターン決定テーブルを参照しながら、第２特図保留または第１特図保留として読み出した変動パターン決定乱数の値に対応付けられた変動パターンを、今回の変動パターンに決定する。
【００７３】
変動パターン決定処理（Ｓ７７）を終了すると、特別図柄の変動表示を開始する（Ｓ７８）。また、変動表示の開始に伴って、第２特図の変動表示であれば第２特図保留数から「１」を減算し、第１特図の変動表示であれば第１特図保留数から「１」を減算する。さらに、変動パターンを指定する変動パターン指定コマンドや、停止図柄を指定する停止図柄指定コマンドをＲＡＭ２０３の出力バッファに記憶する。これらのコマンドは、次回の出力処理（Ｓ１０）でサブ制御基板２２０に向けて送信される。後述するようにサブ制御基板２２０のＣＰＵ２２１は、これらのコマンドを受信することで、特別図柄の変動表示に合わせて演出表示装置４１で図柄変動演出を実行する。
【００７４】
こうして特別図柄の変動表示を開始したら、図８の特別動作処理を一旦終了して、図７の遊技制御処理に復帰する。遊技制御処理では、特別動作処理（Ｓ７０）に続いて、保留数処理（Ｓ９０）を行う。保留数処理（Ｓ９０）では、記憶されている第１特図保留数および第２特図保留数を確認し、これらの保留数を示す保留数伝達コマンドをＲＡＭ２０３の出力バッファに記憶する。この保留数伝達コマンドは、次回の出力処理（Ｓ１０）でサブ制御基板２２０に向けて送信され、サブ制御基板２２０のＣＰＵ２２１は、コマンドを受信すると、第１特図保留数および第２特図保留数と同数の保留図柄を演出表示装置４１の第１保留表示領域４１ｅや第２保留表示領域４１ｆに表示する。
【００７５】
保留数処理（Ｓ９０）を行ったら、図７の遊技制御処理を一旦終了し、４ｍｓｅｃ毎のタイマ割り込みが発生すると、再び図７の遊技制御処理を実行する。そして、出力処理（Ｓ１０）以降の一連の処理を行って、特別動作処理（Ｓ７０）を再開すると、図８に示したＳ７１の判断において、先ほど開始した特別図柄の変動表示中であると判断し（Ｓ７１：ｙｅｓ）、特別図柄停止処理（Ｓ７９）を行う。
【００７６】
特別図柄停止処理（Ｓ７９）では、まず変動表示中の特別図柄の変動時間が経過したか否かを判断する。前述したように特別図柄の変動時間は、変動表示の開始に際して決定した変動パターンに設定されており、未だ変動時間が経過していなければ、特別図柄の変動表示を継続したまま特別図柄停止処理（Ｓ７９）を終了し、図８の特別動作処理も終了して、図７の遊技制御処理に復帰する。
【００７７】
その後、図７の遊技制御処理を繰り返すうちに、変動表示中の特別図柄の変動時間が経過したら、記憶しておいた停止図柄（大当り図柄または外れ図柄）で特別図柄を停止表示する。また、これに伴い、特別図柄の停止表示を示す変動停止コマンドをＲＡＭ２０３の出力バッファに記憶しておき、次回の出力処理（Ｓ１０）でサブ制御基板２２０に向けて送信する。さらに、停止表示した特別図柄を確定表示しておく時間（確定時間）を設定する。
【００７８】
こうして特別図柄を停止表示（確定表示）した状態で、図８の特別動作処理を終了すると、次回の特別動作処理では、Ｓ７２の判断において、特別図柄の確定表示中であると判断し（Ｓ７２：ｙｅｓ）、特別図柄確定処理（Ｓ８０）を行う。特別図柄確定処理（Ｓ８０）では、まず特別図柄の停止表示から確定時間が経過したか否かを判断し、未だ確定時間が経過していなければ、そのまま特別図柄確定処理（Ｓ８０）を終了し、図８の特別動作処理も終了して、図７の遊技制御処理に復帰する。
【００７９】
その後、特別図柄の確定時間が経過したら、確定表示された特別図柄が大当り図柄および外れ図柄の何れであるかを判断する。確定表示された特別図柄が外れ図柄である場合は、次に、時短状態中であるか否かを判断する。本実施例のパチンコ機１では、時短状態中であれば、特別図柄の変動回数を時短カウンターで計数するようになっており、主制御基板２００のＲＡＭ２０３には時短カウンターの記憶領域が確保されている。前述したように、非確変状態かつ電サポ状態（時短状態）では、特別図柄の変動回数が所定回数（例えば１００回）に達すると非電サポ状態（通常状態）に設定されるようになっている。そのため、時短カウンターで計数した変動回数が所定回数に達すると、電サポ状態を終了して遊技状態を通常状態に設定する。また、時短状態中ではなく、確変状態中または通常状態中であれば、そのまま図８の特別動作処理を終了する。
【００８０】
これに対して、確定表示された特別図柄が大当り図柄である場合は、大当り遊技中であることを示す大当りフラグをＯＮに設定すると共に、大当り遊技における大入賞口２８の開放パターン（ラウンド回数、開放時間、閉鎖時間など）を設定する。また、大当り遊技の開始を示す大当り開始コマンドをＲＡＭ２０３の出力バッファに記憶しておき、次回の出力処理（Ｓ１０）でサブ制御基板２２０に向けて送信する。
【００８１】
こうして大当りフラグをＯＮに設定した状態で、図８の特別動作処理を終了すると、次回の特別動作処理では、Ｓ７３の判断において、大当りフラグがＯＮに設定されていると判断し（Ｓ７３：ｙｅｓ）、大当り遊技処理（Ｓ８１）を行う。大当り遊技処理（Ｓ８１）では、まず大入賞口ソレノイド２９ｍを駆動して大入賞口２８を開放状態とすることでラウンド遊技を開始する。その後、開放時間が経過するか、あるいは大入賞口２８に規定個数の遊技球が入球すると、大入賞口２８を閉鎖してラウンド遊技を終了し、閉鎖時間の経過を待って次のラウンド遊技を開始する。そして、設定されたラウンド回数を全て消化したら、大当りフラグをＯＦＦに設定する。また、大当り遊技の終了を示す大当り終了コマンドをＲＡＭ２０３の出力バッファに記憶しておき、次回の出力処理（Ｓ１０）でサブ制御基板２２０に向けて送信する。
【００８２】
さらに、確定表示された大当り図柄の種類に応じて大当り遊技の終了後の遊技状態を設定する。すなわち、大当り図柄が確変当り図柄であれば、確変状態（大当り確率が高確率に設定された電サポ状態）に設定し、大当り図柄が通常当り図柄であれば、時短状態（大当り確率が通常確率に設定された電サポ状態）に設定する。また、遊技状態を示す遊技状態指定コマンドをＲＡＭ２０３の出力バッファに記憶しておき、次回の出力処理（Ｓ１０）でサブ制御基板２２０に向けて送信する。
【００８３】
こうして大当りフラグをＯＦＦに設定した状態で、図８の特別動作処理を終了すると、次回の特別動作処理では、第１特図保留数および第２特図保留数が「０」でなければ（Ｓ７４：ｎｏ）、新たに特別図柄の変動表示を開始するための処理（Ｓ７５〜Ｓ７８）を行う。
【００８４】
主制御基板２００のＣＰＵ２０１は、以上のような遊技制御処理を繰り返し行うことによって、パチンコ機１での遊技を進行させる。また、前述したように主制御基板２００のＣＰＵ２０１は、遊技制御処理を実行する中で各種コマンドをサブ制御基板２２０に向かって送信する。そして、サブ制御基板２２０のＣＰＵ２２１は、受信したコマンドに基づいて具体的な演出の内容を決定し、画像音声制御基板２３０やランプ制御基板２２６に表示内容や音声内容を指定することにより、演出表示装置４１、各種スピーカー６ａ，６ｂ、各種ランプ５ａ〜５ｃを用いた様々な遊技演出を実行している。以下では、第１特図または第２特図の変動表示に合わせて演出表示装置４１の識別図柄４１ａ，４１ｂ，４１ｃを変動表示させて行う図柄変動演出の制御のために、サブ制御基板２２０のＣＰＵ２２１が実行する処理（図柄変動演出処理）について説明する。
【００８５】
Ｃ−２．図柄変動演出処理  ：
図１１は、サブ制御基板２２０のＣＰＵ２２１が行う図柄変動演出処理を示したフローチャートである。この図柄変動演出処理は、所定周期で発生するタイマ割り込みに基づいて行われる。尚、以下の説明では、ＣＰＵ２２１の初期化処理や、割り込み禁止処理、割り込み許可処理などの周知の処理については説明を省略する。また、図柄変動演出処理を実行する本実施例のサブ制御基板２２０のＣＰＵ２２１は、本発明の「演出実行手段」に相当している。
【００８６】
サブ制御基板２２０のＣＰＵ２２１は、図柄変動演出処理を開始すると、まず、主制御基板２００から変動パターン指定コマンドを受信したか否かを判断する（Ｓ１００）。前述したように変動パターン指定コマンドは、セグメント表示部５０で変動表示が開始される特別図柄（第１特図または第２特図）の変動パターンを指定するコマンドである。そして、変動パターン指定コマンドを受信した場合は（Ｓ１００：ｙｅｓ）、特別図柄の変動表示に合わせて演出表示装置４１で実行する図柄変動演出の内容を決定する処理（演出内容決定処理）を行う（Ｓ１０１）。尚、本実施例の図柄変動演出には、識別図柄４１ａ，４１ｂ，４１ｃの変動表示だけでなく、前述したリーチ演出や、特別図柄の停止図柄を示唆するレース演出などが含まれる。こうした図柄変動演出は多数設けられており、演出の実行に要する時間（演出実行時間）が異なっている。
【００８７】
図１２は、本実施例の演出内容決定処理を示したフローチャートである。演出内容決定処理（Ｓ１０１）では、まず、変動パターン指定コマンドで指定された変動パターンに対応する特別図柄の変動時間が所定の第１基準時間以上であるか否かを判断する（Ｓ１０２）。そして、特別図柄の変動時間が第１基準時間以上である場合は（Ｓ１０２：ｙｅｓ）、続いて、複合レース演出を実行するか否かを判断する（Ｓ１０５）。本実施例の図柄変動演出では、前述したように競馬をモチーフとしたレース演出を実行可能であり、複合レース演出では、１回の特別図柄（第１特図または第２特図）の変動表示に対して、２つのレース演出を実行するようになっている。
【００８８】
図１３は、演出表示装置４１で複合レース演出が行われる様子を例示した説明図である。まず、図１３（ａ）に示されるように演出表示装置４１には、先にスタートしたレース演出（先発レース演出）が表示されており、前述したように複数の競走馬４２の中に遊技者と対応付けられた特定競走馬（「ＰＬＡＹＥＲ」の表示が付された競走馬）４２ａが含まれている。そして、先発レース演出を実行中の演出表示装置４１にワイプ４５が挿入されて、そのワイプ４５内で別のレース演出（後発レース演出）がスタートし、先発レース演出および後発レース演出が同時に進行する。尚、本実施例の先発レース演出は、本発明の「第１演出」に相当し、本実施例の後発レース演出は、本発明の「第２演出」に相当している。
【００８９】
図１３（ｂ）には、複合レース演出におけるワイプ４５が拡大して示されている。後発レース演出が行われるワイプ４５には、先発レース演出の複数の競走馬４２とは別に、後発レース演出に出走する複数の競走馬４６が表示されており、そのうち遊技者と対応付けられた競走馬（特定競走馬）４６ａに「ＰＬＡＹＥＲ」の表示が付されている。また、図示した例では、先発レース演出がＧ２レースであるのに対し、後発レース演出は先発レース演出よりもグレードが高いＧ１レースになっている。さらに、ワイプ４５には、先発レース演出に対応する識別図柄４１ａ，４１ｂ，４１ｃとは別に、後発レース演出に対応する識別図柄４５ａ，４５ｂ，４５ｃが表示されており、変動表示を行う。
【００９０】
そして、本実施例の複合レース演出では、先発レース演出が先に終了してレース結果（特定競走馬４２ａのレース順位）が示された後に、ワイプ４５を演出表示装置４１の全体に拡大して後発レース演出を表示することが可能であり、続いて、後発レース演出が終了してレース結果（特定競走馬４６ａのレース順位）が示される。尚、この場合は、先発レース演出のレース結果が示されるのに伴って識別図柄４１ａ，４１ｂ，４１ｃが揺動しながら仮停止し、続いて、後発レース演出のレース結果が示されるのに伴って識別図柄４５ａ，４５ｂ，４５ｃが停止表示される。このように複合レース演出では、２つのレース演出を実行するために、単独のレース演出に比べて長い演出実行時間が必要であることから、前述したＳ１０２の第１基準時間は、２つのレース演出を実行する時間を確保可能な長さに設定されている。
【００９１】
本実施例のパチンコ機１では、このような複合レース演出を実行するか否かを、サブ制御基板２２０のＣＰＵ２２１が行う抽選によって決定するようになっている。尚、抽選に限られず、特別図柄の変動パターンと対応付けて複合レース演出を実行するか否かを予め決めておいてもよい。そして、複合レース演出を実行する場合は（Ｓ１０５：ｙｅｓ）、特別図柄の停止図柄に応じて、先発レース演出および後発レース演出における遊技者と対応付けられた特定競走馬４２ａ，４６ａのレース順位を決定する（Ｓ１０６）。サブ制御基板２２０のＣＰＵ２２１は、主制御基板２００からの停止図柄指定コマンドに基づいて、特別図柄の停止図柄を把握することができる。こうして複合レース演出の内容を決定したら、図１２の演出内容決定処理を終了して、図１１の図柄変動演出処理に復帰する。
【００９２】
一方、複合レース演出を実行しない場合は（Ｓ１０５：ｎｏ）、変動パターン指定コマンドで指定された変動パターンに応じて複合レース演出以外の図柄変動演出を決定する（Ｓ１０７）。前述したように変動パターンは特別図柄の変動時間に対応するものであり、多数設けられた図柄変動演出の演出実行時間は、何れかの変動パターンに対応する変動時間と一致している。Ｓ１０７の処理では、多数の図柄変動演出の中から、変動パターンに対応する演出実行時間の図柄変動演出を、今回の図柄変動演出に決定する。尚、多数の図柄変動演出には、前述したリーチ演出やレース演出が含まれている。こうして変動パターンに応じて図柄変動演出を決定すると、図１２の演出内容決定処理を終了して、図１１の図柄変動演出処理に復帰する。
【００９３】
以上では、Ｓ１０２の判断において特別図柄の変動時間が第１基準時間以上である場合（Ｓ１０２：ｙｅｓ）について説明した。これに対して、特別図柄の変動時間が第１基準時間以上ではない場合は（Ｓ１０２：ｎｏ）、続いて、特別図柄の変動時間が、第１基準時間よりも短い第２基準時間以上であるか否かを判断する（Ｓ１０３）。この第２基準時間は、１回の特別図柄の変動表示に対して１つのレース演出を実行する時間を確保可能な長さに設定されている。
【００９４】
特別図柄の変動時間が第２基準時間以上である場合は（Ｓ１０３：ｙｅｓ）、次に、特別図柄の停止図柄が確変当り図柄であるか否かを判断する（Ｓ１０４）。本実施例のパチンコ機１では、特別図柄の変動時間が第１基準時間よりも短くても、第２基準時間以上であって、且つ特別図柄の停止図柄が確変当り図柄であることを条件に、例外的に複合レース演出を開始することが可能になっている。そこで、特別図柄の停止図柄が確変当り図柄である場合は（Ｓ１０４：ｙｅｓ）、続いて、複合レース演出を実行するか否かを判断する（Ｓ１０５）。そして、複合レース演出を実行する場合は（Ｓ１０５：ｙｅｓ）、特別図柄の停止図柄に応じて、先発レース演出および後発レース演出における遊技者と対応付けられた特定競走馬４２ａ，４６ａのレース順位を決定して（Ｓ１０６）、図１２の演出内容決定処理を終了する。
【００９５】
図１４は、複合レース演出を実行する際に、特別図柄の停止図柄に応じて決定されるレース順位の組み合わせを示した説明図である。前述したように複合レース演出は、原則として２つのレース演出を実行する時間（第１基準時間以上）を確保して行われ、先発レース演出および後発レース演出で遊技者と対応付けられた特定競走馬４２ａ，４６ａのレース順位によって、特別図柄の停止図柄を示唆するようになっている。
【００９６】
まず、特別図柄の停止図柄が「外れ図柄」である場合は、先発レース演出および後発レース演出の何れにおいても、特定競走馬４２ａ，４６ａが２着以内に入ることはできないため、先発レース演出および後発レース演出の特定競走馬４２ａ，４６ａのレース順位は何れも３着に設定されている。
【００９７】
また、特別図柄の停止図柄が「通常当り図柄」である場合は、先発レース演出および後発レース演出の何れにおいても、特定競走馬４２ａ，４６ａが１着になることはできないものの、先発レース演出および後発レース演出の少なくとも一方で２着になることによって、通常当り図柄の停止表示を示唆する。そのため、先発レース演出の特定競走馬４２ａのレース順位が３着であれば、後発レース演出の特定競走馬４６ａのレース順位が２着に設定され、先発レース演出の特定競走馬４２ａのレース順位が２着であれば、後発レース演出の特定競走馬４６ａのレース順位が３着または２着に設定されている。尚、先発レース演出の特定競走馬４２ａのレース順位と後発レース演出の特定競走馬４６ａのレース順位とが異なる場合は、結果が良い方のレース順位によって特別図柄の停止図柄を示唆するようになっている。
【００９８】
さらに、特別図柄の停止図柄が「確変当り図柄」である場合は、先発レース演出および後発レース演出の一方で、特定競走馬４２ａ，４６ａが１着になることによって、確変当り図柄の停止表示を示唆する。そのため、先発レース演出の特定競走馬４２ａのレース順位が３着または２着であれば、後発レース演出の特定競走馬４６ａのレース順位が１着に設定されている。また、前述したように特別図柄の停止図柄が「確変当り図柄」であれば、２つのレース演出を実行する時間（第１基準時間以上）を確保できていなくても、１つのレース演出を実行する時間（第２基準時間以上）で例外的に複合レース演出を開始することが可能である。この場合は、先発レース演出の特定競走馬４２ａのレース順位が１着に設定されており、先発レース演出が終了した時点で後発レース演出がフェードアウトして途中で終了となるので、後発レース演出の特定競走馬４６ａのレース順位は設定されていない。
【００９９】
一方、図１２の演出内容決定処理では、特別図柄の変動時間が第２基準時間よりも短い場合や（Ｓ１０３：ｎｏ）、特別図柄の変動時間が第２基準時間以上であっても特別図柄の停止図柄が確変当り図柄ではない場合や（Ｓ１０４：ｎｏ）、特別図柄の停止図柄が確変当り図柄であっても複合レース演出を実行しない場合は（Ｓ１０５：ｎｏ）、変動パターンに応じて複合レース演出以外の図柄変動演出を決定した後（Ｓ１０７）、図１２の演出内容決定処理を終了し、図１１の図柄変動演出処理に復帰する。尚、変動時間が短い変動パターンが指定されると、当然ながら図柄変動演出の演出実行時間も短く、リーチ演出やレース演出などを行う余裕がない場合には、識別図柄４１ａ，４１ｂ，４１ｃを一瞬変動表示させるだけの図柄変動演出が決定される。
【０１００】
図１１の図柄変動演出処理では、演出内容決定処理（Ｓ１０１）から復帰すると、図柄変動演出を開始する（Ｓ１１０）。すなわち、サブ制御基板２２０のＣＰＵ２２１は、演出内容決定処理（Ｓ１０１）で決定した図柄変動演出を指定するコマンドを画像音声制御基板２３０に向けて送信する。コマンドを受信した画像音声制御基板２３０は、コマンドに対応する画像を演出表示装置４１に表示すると共に、コマンドに対応する音声を各種スピーカー６ａ，６ｂから出力する。これにより、演出表示装置４１では、識別図柄４１ａ，４１ｂ，４１ｃの変動表示が開始され、リーチ演出や、レース演出、あるいは複合レース演出が付帯して行われる。
【０１０１】
図柄変動演出を開始すると、次に、主制御基板２００から変動停止コマンドを受信したか否かを判断する（Ｓ１１１）。そして、変動停止コマンドを受信していない場合は（Ｓ１１１：ｎｏ）、図柄変動演出を継続したまま、図１１の図柄変動演出処理を一旦終了し、所定周期でタイマ割り込みが発生すると、再び図１１の図柄変動演出処理を実行する。
【０１０２】
そして、図柄変動演出の実行中であれば、主制御基板２００から新たに変動パターン指定コマンドが送信されることはなく、Ｓ１００の判断において、変動パターン指定コマンドを受信していないため（Ｓ１００：ｎｏ）、Ｓ１０１〜Ｓ１１０の処理を省略して、変動停止コマンドを受信したか否かを再び判断する（Ｓ１１１）。
【０１０３】
変動停止コマンドを受信した場合は（Ｓ１１１：ｙｅｓ）、図柄変動演出を終了する（Ｓ１１２）。このとき、演出表示装置４１で停止表示される識別図柄４１ａ，４１ｂ，４１ｃ（あるいは識別図柄４５ａ，４５ｂ，４５ｃ）の組み合わせは、主制御基板２００からの停止図柄指定コマンドに基づいて決定されており、特別図柄の停止図柄が外れ図柄であれば、同じ数字で揃わない組み合わせ（バラケ目）であるのに対して、大当り図柄であれば、同じ数字で揃った組み合わせ（ゾロ目）であり、特に、確変当り図柄であれば、同じ奇数の数字で揃っている。
【０１０４】
こうして図柄変動演出を終了すると、図１１の図柄変動演出処理を一旦終了し、所定周期でタイマ割り込みが発生すると、再び図１１の図柄変動演出処理を実行する。そして、主制御基板２００から新たに変動パターン指定コマンドを受信すると（Ｓ１００：ｙｅｓ）、演出内容決定処理（Ｓ１０１）以降の一連の処理を行う。
【０１０５】
図１５は、上述した図柄変動演出処理に従って複合レース演出が実行される様子を例示したタイムチャートである。まず、図１５（ａ）には、特別図柄の変動時間が第１基準時間以上であって、特別図柄の停止図柄が「確変当り図柄」である例が示されている。図示されるように、複合レース演出が行われる場合には、セグメント表示部５０での特別図柄の変動表示の開始に伴って、演出表示装置４１にて先発レース演出が開始される。そして、先発レース演出の実行中にワイプ４５が挿入されて、そのワイプ４５内で後発レース演出が開始され、先発レース演出と後発レース演出とが同時に進行する（図１３参照）。
【０１０６】
その後、先発レース演出が先に終了して、図示した例では、遊技者と対応付けられた特定競走馬４２ａが２着になると共に、先発レース演出に対応する識別図柄４１ａ，４１ｂ，４１ｃが揺動しながら「４」で揃った組み合わせで仮停止し、直ぐにワイプ４５が演出表示装置４１の全体に拡大される。こうして拡大表示された後発レース演出は、遊技者と対応付けられた特定競走馬４６ａが１着になることで終了し、後発レース演出に対応する識別図柄４５ａ，４５ｂ，４５ｃが「７」で揃った組み合わせで停止表示されると共に、特別図柄が「確変当り図柄」で停止表示される。
【０１０７】
このように本実施例の複合レース演出では、後発レース演出で「確変当り図柄」の停止表示を示唆する（特定競走馬４６ａが１着になる）場合でも、先発レース演出で「外れ図柄」の停止表示を示唆する（特定競走馬４２ａが３着となる）とは限らず、先発レース演出で「通常当り図柄」の停止表示を示唆する（特定競走馬４２ａが２着となる）ことも可能である。また、先発レース演出での示唆の方が後発レース演出での示唆よりも遊技者にとって有利な場合もあり、最終的に遊技者にとって有利な示唆（結果が良い方の順位）が採用される。これにより、「どうせ先発レース演出では大当り図柄の停止表示が示唆されることはない」という遊技者の諦念を払拭して、先発レース演出の結果に対する遊技者の期待を高めることができるので、複合レース演出における先発レース演出での遊技興趣を向上させることが可能となる。
【０１０８】
そして、本実施例の複合レース演出では、先発レース演出の結果を引き継ぐことなく独立して後発レース演出が実行されることにより、後発レース演出にも遊技者の注目を集めることができる。しかも、先発レース演出での示唆が遊技者にとって有利なものであっても、その先発レース演出での示唆よりも後発レース演出での示唆の方が遊技者の利益が大きくなる場合があることから、遊技者に後発レース演出の結果を期待させて、複合レース演出における後発レース演出での遊技興趣をさらに高めることができる。
【０１０９】
さらに、図示した例では、先発レース演出のグレード（Ｇ２レース）よりも後発レース演出のグレード（Ｇ１レース）の方が高くなっていることから、遊技者に後発レース演出が重要であることを印象付けて、後発レース演出の結果に対する遊技者の期待を一層高めることができる。
【０１１０】
一方、図１５（ｂ）には、特別図柄の変動時間が第１基準時間よりも短いものの第２基準時間以上であって、特別図柄の停止図柄が「確変当り図柄」である例が示されている。この場合にも、複合レース演出を開始することが可能であり、上述の図１５（ａ）の例と同様に、セグメント表示部５０での特別図柄の変動表示の開始に伴って、演出表示装置４１にて先発レース演出が開始される。そして、先発レース演出の実行中にワイプ４５が挿入されて、そのワイプ４５内で後発レース演出が開始され、先発レース演出と後発レース演出とが同時に進行する。
【０１１１】
そして、先発レース演出は、遊技者と対応付けられた特定競走馬４２ａが１着になることで終了し、先発レース演出に対応する識別図柄４１ａ，４１ｂ，４１ｃが「７」で揃った組み合わせで停止表示されると共に、特別図柄が「確変当り図柄」で停止表示される。また、特定競走馬４２ａが１着になって先発レース演出が終了するのに伴って、後発レース演出は、拡大表示されることなくフェードアウトして、途中で終了となる。
【０１１２】
このように本実施例の複合レース演出では、先発レース演出で遊技者にとって利益が最大の「確変当り図柄」の停止表示を示唆する（特定競走馬４２ａが１着になる）ことがあるため、先発レース演出の結果に対する遊技者の期待をより高めて、複合レース演出における先発レース演出での遊技興趣の更なる向上を図ることができる。また、先発レース演出で遊技者の利益が最大である示唆を行うと、後発レース演出での示唆が不要となるため、後発レース演出を途中から省略することにより、単独のレース演出を実行する時間しか確保できない場合（特別図柄の変動時間が第２基準時間以上で第１基準時間よりも短い変動パターンが指定された場合）でも、複合レース演出を開始することが可能となる。
【０１１３】
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１１４】
例えば、前述した実施例では、複合レース演出における先発レース演出の実行中に後発レース演出を開始し、先発レース演出と後発レース演出とを同時に進行させるようになっていた。しかし、２つのレース演出を分けて実行する十分な時間を確保することが可能であれば、必ずしも２つのレース演出を同時に進行させなくてもよく、先発レース演出の後に後発レース演出を連続して行うようにしてもよい。
【０１１５】
図１６は、複合レース演出で先発レース演出の後に後発レース演出を連続して行う様子を例示したタイムチャートである。ここでは、特別図柄の変動時間が２つのレース演出を分けて実行するのに十分な時間であって、特別図柄の停止図柄が「確変当り図柄」である例が示されている。例示した複合レース演出では、セグメント表示部５０での特別図柄の変動表示の開始に伴って、演出表示装置４１にて先発レース演出が開始された後、そのまま単独で実行された先発レース演出が終了し、遊技者と対応付けられた特定競走馬４２ａが２着になると共に、識別図柄４１ａ，４１ｂ、４１ｃが揺動しながら「４」で揃った組み合わせで仮停止する。すると、直後に場面（競馬場）が切り換わり、後発レース演出が開始されると共に、識別図柄４１ａ，４１ｂ，４１ｃが変動表示を再開する。この後発レース演出は、遊技者と対応付けられた特定競走馬４６ａが１着になることで終了し、識別図柄４１ａ，４１ｂ，４１ｃが「７」で揃った組み合わせで停止表示されると共に、特別図柄が「確変当り図柄」で停止表示される。
【０１１６】
このように先発レース演出の後に後発レース演出が連続して行われる複合レース演出においても、前述した実施例の複合レース演出と同様に、先発レース演出で「通常当り図柄」の停止表示を示唆する（特定競走馬４２ａが２着となる）ことがあるため、先発レース演出の結果に対する遊技者の期待を高めることができる。そして、その後に開始される後発レース演出では、先発レース演出よりも遊技者にとって有利な示唆が行われることがあるため、遊技者に後発レース演出の結果を期待させることができる。その結果、複合レース演出における遊技興趣を高めることが可能となる。
【０１１７】
ただし、前述した実施例の複合レース演出のように先発レース演出と後発レース演出とを同時に進行させることにより、先発レース演出の後に後発レース演出を連続して実行する場合に比べて、限られた時間内で各々のレース演出の時間を長く確保することができる。また、先発レース演出の終了後に後発レース演出の存在を遊技者に知らせるのではなく、先発レース演出および後発レース演出を同時に進行させて予め２つのレース演出の存在を知らせることで、遊技者に特別図柄の停止図柄についての示唆を２回受けられることを意識させることができるので、複合レース演出における遊技興趣を向上させることが可能となる。
【０１１８】
また、前述した実施例では、競馬をモチーフとした複合レース演出（先発レース演出および後発レース演出）を実行するようになっていたが、モチーフは競馬に限られず、複数の対象がゴールへの到達を競い合うレースであれば、競輪や、競艇、オートレース、カーレースなどをモチーフにしてもよい。
【０１１９】
さらに、特別図柄の停止図柄を示唆する演出は、必ずしもレースを用いたものである必要はなく、例えば、レースを用いることなく、演出表示装置４１で行われる識別図柄４１ａ，４１ｂ，４１ｃの変動表示と、ワイプ４５内で行われる識別図柄４５ａ，４５ｂ，４５ｃの変動表示とを同時に進行させることして、まず、先にリーチ演出を行った識別図柄４１ａ，４１ｂ，４１ｃを、例えば「４」で揃った組み合わせで仮停止して通常当り図柄の停止表示を示唆した後、その仮停止の結果を引き継ぐことなく独立してリーチ演出を行った識別図柄４５ａ，４５ｂ，４５ｃを、例えば「７」で揃った組み合わせで停止表示させて確変当り図柄の停止表示を示唆してもよい。ただし、前述した実施例のようにレースの結果（特定競走馬４２ａ，４６ａのレース順位）によって特別図柄の停止図柄を示唆することにより、遊技者は示唆された内容を容易に把握することができる。
【０１２０】
また、前述した実施例では、遊技者の利益が異なる複数の大当り図柄として、通常当り図柄と確変当り図柄とを設けていた。しかし、遊技者の利益の違いはこれに限られず、例えば、大当り遊技におけるラウンド回数を異ならせて、ラウンド回数が６回の大当り図柄と、ラウンド回数が１５回の大当り図柄とを設けておいてもよい。この場合は、先発レース演出または後発レース演出において特定競走馬４２ａ，４６ａが２着になることで、ラウンド回数が６回であることを示唆し、特定競走馬４２ａ，４６ａが１着になることで、ラウンド回数が１５回であることを示唆するようにすればよい。
【０１２１】
また、前述した実施例では、複合レース演出の際に、演出表示装置４１で先発レース演出に対応する識別図柄４１ａ，４１ｂ，４１ｃを変動表示させ、ワイプ４５内で後発レース演出に対応する識別図柄４５ａ，４５ｂ，４５ｃを変動表示させるようになっていた。しかし、先発レース演出中の識別図柄４１ａ，４１ｂ，４１ｃの変動表示や、後発レース演出中の識別図柄４５ａ，４５ｂ，４５ｃの変動表示は必須ではなく、例えば、ワイプ４５内の後発レース演出に対応する識別図柄４５ａ，４５ｂ，４５ｃを非表示にしてもよい。
【０１２２】
また、上述した実施例では、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【０１２３】
＜上述した実施例から抽出できる遊技機Ａ１〜Ａ４＞
上述した実施例のパチンコ機１は、次のような遊技機Ａ１〜Ａ４として捉えることができる。
【０１２４】
＜遊技機Ａ１＞
遊技盤に形成された遊技領域に向けて遊技球を発射することによって遊技を行う遊技機において、
前記遊技球が所定の検知手段で検知されたことに基づいて識別情報を変動表示させ、該識別情報を遊技者の利益が異なる複数の当り態様の何れか、あるいは外れ態様で停止表示させる識別情報表示手段と、
前記識別情報の変動表示に伴って、当該識別情報の停止表示時の態様を示唆する第１演出および第２演出を同時に進行させることが可能な演出実行手段と
を備え、
前記第１演出および前記第２演出のうち先に終了する前記第１演出で示唆した態様と、後から終了する前記第２演出で示唆した態様とが異なる場合には、遊技者の利益が大きい方の態様で前記識別情報を停止表示させる
ことを特徴とする遊技機。
【０１２５】
このような遊技機Ａ１では、後の第２演出で当り態様を示唆する場合でも、それに先立つ第１演出で外れ態様を示唆するとは限らず、第１演出でも当り態様を示唆することが可能であり、最終的に遊技者にとって有利な示唆が採用される。これにより、「どうせ第１演出では当り態様が示唆されることはない」という遊技者の諦念を払拭して、第１演出の結果に対する遊技者の期待を高めることができるので、識別情報の変動表示に伴って第１演出および第２演出を実行する場合（以下、複合演出）における第１演出での遊技興趣を向上させることが可能となる。
【０１２６】
＜遊技機Ａ２＞
遊技機Ａ１において、
前記第１演出で示唆した態様が、前記複数の当り態様のうち遊技者の利益が最大である最大当り態様である場合には、前記第２演出を途中で終了し、前記最大当り態様で前記識別情報を停止表示させる
ことを特徴とする遊技機。
【０１２７】
このような遊技機Ａ２では、第１演出で遊技者の利益が最大の最大当り態様を示唆する場合があることにより、第１演出の結果に対する遊技者の期待をより高めて、複合演出における第１演出での遊技興趣の更なる向上を図ることができる。また、第１演出で最大当り態様を示唆すると、第２演出での示唆が不要となるため、第２演出を途中から省略することにより、第１演出を実行する時間しか確保できない場合でも、第１演出と第２演出とを同時に進行させる複合演出を開始することが可能となる。
【０１２８】
＜遊技機Ａ３＞
遊技機Ａ２において、
前記第１演出で示唆した態様が、前記最大当り態様を除く前記複数の当り態様の何れかである場合には、前記第２演出で前記第１演出よりも遊技者の利益が大きい前記当り態様を示唆することが可能である
ことを特徴とする遊技機。
【０１２９】
このような遊技機Ａ３では、第１演出で当り態様が示唆された場合であっても、後の第２演出で第１演出よりも遊技者の利益が更に大きい当り態様が示唆される場合があることから、遊技者に第２演出の結果を期待させて、複合演出における第２演出での遊技興趣を高めることができる。
【０１３０】
＜遊技機Ａ４＞
遊技機Ａ１ないし遊技機Ａ３の何れか１つの遊技機において、
前記第１演出および前記第２演出の内容は、複数の対象がゴールへの到達を競い合うレースであり、前記複数の対象のうち遊技者と対応付けられた特定対象が所定順位以内に入れば前記当り態様であることを示唆すると共に、該特定対象の順位が高いほど遊技者の利益が大きい前記当り態様であることを示唆する
ことを特徴とする遊技機。
【０１３１】
このような遊技機Ａ４では、第１演出および第２演出におけるレースの結果（特定対象の順位）によって識別情報の停止表示時の態様を示唆することにより、遊技者は示唆された態様を容易に把握することが可能となる。
【０１３２】
＜上述した実施例から抽出できる遊技機Ｂ１〜Ｂ４＞
上述した実施例のパチンコ機１は、次のような遊技機Ｂ１〜Ｂ４として捉えることができる。
【０１３３】
＜遊技機Ｂ１＞
遊技盤に形成された遊技領域に向けて遊技球を発射することによって遊技を行う遊技機において、
前記遊技球が所定の検知手段で検知されたことに基づいて識別情報を変動表示させ、該識別情報を遊技者の利益が異なる複数の当り態様の何れか、あるいは外れ態様で停止表示させる識別情報表示手段と、
前記識別情報の変動表示に伴って、当該識別情報の停止表示時の態様を示唆する第１演出および第２演出を実行することが可能な演出実行手段と
を備え、
前記第１演出および前記第２演出のうち先に終了する前記第１演出で前記複数の当り態様の何れかを示唆した場合に、当該第１演出で示唆した前記当り態様での前記識別情報の停止表示を留保した状態で、該第１演出の結果を引き継ぐことなく独立して前記第２演出を実行する
ことを特徴とする遊技機。
【０１３４】
このような遊技機Ｂ１では、第１演出で当り態様が示唆された場合であっても、その示唆による遊技者の利益が確保された状態で、第１演出の結果を引き継ぐことなく独立して更に第２演出が実行されることにより、第２演出にも遊技者の注目を集めることができるので、識別情報の変動表示に伴って第１演出および第２演出を実行する場合（以下、複合演出）における第２演出での遊技興趣を向上させることが可能となる。
【０１３５】
＜遊技機Ｂ２＞
遊技機Ｂ１において、
前記第１演出で示唆した態様が、前記複数の当り態様のうち遊技者の利益が最大の最大当り態様を除いた何れかである場合には、前記第２演出で前記第１演出よりも遊技者の利益が大きい前記当り態様を示唆することが可能である
ことを特徴とする遊技機。
【０１３６】
このような遊技機Ｂ２では、第１演出で当り態様が示唆された場合であっても、後の第２演出で第１演出よりも遊技者の利益が更に大きい当り態様が示唆される場合があることから、遊技者に第２演出の結果を期待させて、複合演出における第２演出での遊技興趣を高めることができる。
【０１３７】
＜遊技機Ｂ３＞
遊技機Ｂ１または遊技機Ｂ２において、
前記第１演出および前記第２演出を同時に進行させることが可能である
ことを特徴とする遊技機。
【０１３８】
このような遊技機Ｂ３では、第１演出と第２演出とを同時に進行させることにより、第１演出の後に第２演出を連続して実行する場合に比べて、限られた時間内で各々の演出の時間を長く確保することができる。また、第１演出の終了後に第２演出の存在を遊技者に知らせるのではなく、第１演出および第２演出を同時に進行させて２つの演出の存在を知らせることで、遊技者に識別情報の停止表示時の態様についての示唆を２回受けられることを意識させることができるので、複合演出における遊技興趣を向上させることが可能となる。
【０１３９】
＜遊技機Ｂ４＞
遊技機Ｂ１ないし遊技機Ｂ３の何れか１つの遊技機において、
前記第１演出および前記第２演出の内容は、複数の対象がゴールへの到達を競い合うレースであり、前記複数の対象のうち遊技者と対応付けられた特定対象が所定順位以内に入れば前記当り態様であることを示唆すると共に、該特定対象の順位が高いほど遊技者の利益が大きい前記当り態様であることを示唆する
ことを特徴とする遊技機。
【０１４０】
このような遊技機Ｂ４では、第１演出および第２演出におけるレースの結果（特定対象の順位）によって識別情報の停止表示時の態様を示唆することにより、遊技者は示唆された態様を容易に把握することが可能となる。
【０１４１】
＜上述した実施例から抽出できる遊技機Ｃ１＞
上述した実施例のパチンコ機１は、次のような遊技機Ｃ１として捉えることができる。
【０１４２】
＜遊技機Ｃ１＞
遊技盤に形成された遊技領域に向けて遊技球を発射することによって遊技を行う遊技機において、
前記遊技球が所定の検知手段で検知されたことに基づいて識別情報を変動表示させ、該識別情報を遊技者の利益が異なる複数の当り態様の何れか、あるいは外れ態様で停止表示させる識別情報表示手段と、
前記識別情報の変動表示に伴って、当該識別情報の停止表示時の態様を示唆する第１演出および第２演出を同時に進行させることが可能な演出実行手段と
を備えることを特徴とする遊技機。
【０１４３】
＜上述した実施例から抽出できる遊技機Ｄ１＞
上述した実施例のパチンコ機１は、次のような遊技機Ｄ１として捉えることができる。
【０１４４】
＜遊技機Ｄ１＞
遊技盤に形成された遊技領域に向けて遊技球を発射することによって遊技を行う遊技機において、
前記遊技球が所定の検知手段で検知されたことに基づいて識別情報を変動表示させ、該識別情報を遊技者の利益が異なる複数の当り態様の何れか、あるいは外れ態様で停止表示させる識別情報表示手段と、
前記識別情報の変動表示に伴って、当該識別情報の停止表示時の態様を示唆する第１演出および第２演出を実行することが可能な演出実行手段と
を備え、
前記第１演出および前記第２演出のうち先に前記第１演出を終了した場合に、該第１演出の結果を引き継ぐことなく独立して前記第２演出を実行する
ことを特徴とする遊技機。
【産業上の利用可能性】
【０１４５】
本発明は、遊技ホールで用いられる遊技機に利用することができる。
【符号の説明】
【０１４６】
１…パチンコ機（遊技機）、    ４…前面枠、    ４ａ…窓部、
４ｂ…透明板、    ２０…遊技盤、    ２１…遊技領域、
２４…第１始動口、    ２４ｓ…第１始動口センサー（検知手段）、
２５…第２始動口、    ２５ｓ…第２始動口センサー（検知手段）、
２７…普通図柄作動ゲート、    ２８…大入賞口、    ４１…演出表示装置、
４１ａ，４１ｂ，４１ｃ…識別図柄、    ４１ｄ…背景画像、
４２…競走馬、    ４２ａ…特定競走馬、    ４３…ゴール、
４５…ワイプ、    ４５ａ，４５ｂ，４５ｃ…識別図柄、
４６…競走馬、    ４６ａ…特定競走馬、
５０…セグメント表示部、    ５１…第１特図表示部（識別情報表示手段）、
５２…第２特図表示部（識別情報表示手段）、    ２００…主制御基板、
２０１…ＣＰＵ、    ２２０…サブ制御基板、
２２１…ＣＰＵ（演出実行手段）。
【図１】
2019118696.tif 000003
【図２】
2019118696.tif 000004
【図３】
2019118696.tif 000005
【図４】
2019118696.tif 000006
【図５】
2019118696.tif 000007
【図６】
2019118696.tif 000008
【図７】
2019118696.tif 000009
【図８】
2019118696.tif 000010
【図９】
2019118696.tif 000011
【図１０】
2019118696.tif 000012
【図１１】
2019118696.tif 000013
【図１２】
2019118696.tif 000014
【図１３】
2019118696.tif 000015
【図１４】
2019118696.tif 000016
【図１５】
2019118696.tif 000017
【図１６】
2019118696.tif 000018